(57)【要約】【課題】小型軽量で能率的に融着作業を実行することができ、安価な融着接続機を提供すること。【解決手段】表示部２ａと入力部２ｂとを有する本体２と、１組のホルダ台４と、１組の放電電極５と、風防カバー６とを有する融着接続部３と、光ファイバの端部をモニタするモニタ機構とを備え、対向配置された光ファイバ４５の端部を放電によって融着接続する融着接続機１。本体２は、略直方体形状に成形され、長手方向一方の上部に表示部２ａと入力部２ｂとが配置されると共に、他方上部に本体２と融着接続部３とがＴ字形をなすように配置され、入力部２ｂが掌中に保持可能に成形されている。【選択図】      図１
2004184543.tif 000002
【特許請求の範囲】
【請求項１】
融着接続に関する情報を表示する表示部と、融着接続に伴う動作情報を入力する入力部とを有する本体と、
光ファイバを把持したホルダをそれぞれ対向させて配置する１組のホルダ台と、前記光ファイバに対して直交させて対向配置される１組の放電電極と、前記１組のホルダ台に設置された前記ホルダを開閉自在に覆う風防カバーとを有する融着接続部と、
前記光ファイバの端部をモニタするモニタ機構と
を備え、対向配置された前記光ファイバの端部を放電によって融着接続する融着接続機において、
前記本体は、略直方体形状に成形され、長手方向一方の上部に前記表示部と入力部とが配置されると共に、他方上部に当該本体と前記融着接続部とがＴ字形をなすように配置され、前記入力部が掌中に保持可能に成形されていることを特徴とする融着接続機。
【請求項２】
前記入力部側の幅及び厚さが１０ｃｍ以下に成形されていることを特徴とする請求項１に記載の融着接続機。
【請求項３】
前記モニタ機構は、前記本体側に設けられる光源及び受光手段と、前記風防カバーに設けられ、前記光源からの光を反射し、前記光ファイバの対向部分を通って前記受光手段へと導くプリズムとを有していることを特徴とする請求項１または２に記載の融着接続機。
【請求項４】
前記プリズムがダブプリズムであることを特徴とする請求項３に記載の融着接続機。
【請求項５】
前記１組の放電電極をそれぞれ支持する２つの電極台と、前記各ホルダに把持され、前記各ホルダから延出した前記光ファイバを配置するＶ溝が形成された２つのＶ溝基板とが、共通の支持部材上に対向配置されていることを特徴とする請求項１〜４のいずれか一つに記載の融着接続機。
【請求項６】
前記風防カバーは、前記融着接続部に磁気吸着する磁石を有していることを特徴とする請求項１〜５のいずれか一つに記載の融着接続機。
【請求項７】
前記ホルダ台は、前記ホルダを磁気吸着する磁石を有していることを特徴とする請求項１〜６のいずれか一つに記載の融着接続機。
【請求項８】
前記風防カバー及び前記ホルダ台は、前記磁石を配置する凹部と、当該磁石を前記凹部に保持する保持板とを有していることを特徴とする請求項１〜７のいずれか一つに記載の融着接続機。
【発明の詳細な説明】
【０００１】
【発明の属する技術分野】
この発明は、対向配置された光ファイバを放電によって融着接続する融着接続機に関するものである。
【０００２】
【従来の技術】
従来、光ファイバの端部を突き合せ、放電によって融着接続する融着接続機が種々提案されている（例えば、特許文献１参照。）。この融着接続機は、光ファイバの端部を観察する画像観察機構と、撮像画像から光ファイバ断面の輝度分布波形のパラメータデータを計測する画象処理部と、計測された前記パラメータデータを予めデータ登録部に登録されているファジー化データから帰属度を求めてファジー化して光ファイバ種別を識別するファジー演算部と、識別された前記光ファイバ種別を予め有着接続条件登録部に登録されている光ファイバ種別ごとの有着接続条件と照合する照合部と、照合結果を表示する表示装置と、融着接続機構と、制御部とを備えている。このように、従来の融着接続機は、高性能で、多くの機能を有していることから箱型の本体の上部に融着接続機構が設けられた大型の機械で、数ｋｇ以上の重さがあった。
【０００３】
【特許文献１】
特開２００２−１６９０５０号公報（第３−４頁、図１）
【０００４】
【発明が解決しようとする課題】
ところで、光通信技術の発展に伴い、光ファイバ通信ネットワークにおける光アクセスシステムの一つとして幹線から各家庭までを光ファイバで結ぶＦＴＴＨ（ｆｉｂｅｒ  ｔｏ  ｔｈｅ  ｈｏｍｅ）が必要となった。この場合に、幹線から分岐した光ファイバを家庭用の光ファイバと接続するときの作業は主として屋外、特に電柱等の近傍に配置され、多数の光ファイバを端末処理して収容したクロージャー部分における作業となる。このため、従来の融着接続機では、大き過ぎて重いことから使い勝手が悪く、光ファイバを接続する際の作業能率が悪いという問題があった。
【０００５】
また、従来の融着接続機は、特許文献１に記載したように、モニタ機構となる画像観察機構は、光ファイバの端部を高精度にモニタする目的からそれぞれ２つの光源を使用し、各光源からの光をそれぞれ対応するミラーで反射させて異なる２軸方向から光ファイバの端部を観察していた。このため、画像観察機構を構成する部材を配置する設計上の自由度が小さいうえ、２つのミラーを高精度の下に位置決めしなければならず、製造に手間がかかるうえ、高価になるという問題があった。
【０００６】
一方、近年、環境問題から資源の再利用が叫ばれるようになり、融着接続機においても構成部材を素材毎に分離回収する必要が出てきた。しかし、従来の融着接続機は、光ファイバを把持したホルダをホルダ台に保持させたり、風防カバーを閉じた状態に保持させたりするために、ホルダ台や風防カバーに磁石を接着剤で固定していた。このため、接着剤を使用した融着接続機においては、構成部材を素材毎に分離回収することが難しかった。
【０００７】
この発明は、上述した従来技術による問題点を解消するため、小型軽量で能率的に融着作業を実行することができ、安価な融着接続機を提供することを第１の目的とする。また、この発明は、前記第１の目的に加え、ミラーを使用する必要がなく、モニタ機構を配置するうえでの設計上の自由度が大きい融着接続機を提供することを第２の目的とする。更に、この発明は、前記第２の目的に加え、構成部材を素材毎に分離し、リサイクルを容易にする融着接続機を提供することを第３の目的とする。
【０００８】
【課題を解決するための手段】
上述した課題を解決し、目的を達成するため、請求項１の発明に係る融着接続機は、融着接続に関する情報を表示する表示部と、融着接続に伴う動作情報を入力する入力部とを有する本体と、光ファイバを把持したホルダをそれぞれ対向させて配置する１組のホルダ台と、前記光ファイバに対して直交させて対向配置される１組の放電電極と、前記１組のホルダ台に設置された前記ホルダを開閉自在に覆う風防カバーとを有する融着接続部と、前記光ファイバの端部をモニタするモニタ機構とを備え、対向配置された前記光ファイバの端部を放電によって融着接続する融着接続機において、前記本体は、略直方体形状に成形され、長手方向一方の上部に前記表示部と入力部とが配置されると共に、他方上部に当該本体と前記融着接続部とがＴ字形をなすように配置され、前記入力部が掌中に保持可能に成形されていることを特徴とする。
【０００９】
また、請求項２の発明に係る融着接続機は、上記の発明において、前記入力部側の幅及び厚さが１０ｃｍ以下に成形されていることを特徴とする。
【００１０】
また、請求項３の発明に係る融着接続機は、上記の発明において、前記モニタ機構は、前記本体側に設けられる光源及び受光手段と、前記風防カバーに設けられ、前記光源からの光を反射し、前記光ファイバの対向部分を通って前記受光手段へと導くプリズムとを有していることを特徴とする。
【００１１】
また、請求項４の発明に係る融着接続機は、上記の発明において、前記プリズムがダブプリズムであることを特徴とする。
【００１２】
また、請求項５の発明に係る融着接続機は、上記の発明において、前記１組の放電電極をそれぞれ支持する２つの電極台と、前記各ホルダに把持され、前記各ホルダから延出した前記光ファイバを配置するＶ溝が形成された２つのＶ溝基板とが、共通の支持部材上に対向配置されていることを特徴とする。
【００１３】
また、請求項６の発明に係る融着接続機は、上記の発明において、前記風防カバーは、前記融着接続部に磁気吸着する磁石を有していることを特徴とする。
【００１４】
また、請求項７の発明に係る融着接続機は、上記の発明において、前記ホルダ台は、前記ホルダを磁気吸着する磁石を有していることを特徴とする。
【００１５】
また、請求項８の発明に係る融着接続機は、上記の発明において、前記風防カバー及び前記ホルダ台は、前記磁石を配置する凹部と、当該磁石を前記凹部に保持する保持板とを有していることを特徴とする。
【００１６】
【発明の実施の形態】
以下、図面を参照して、この発明に係る融着接続機の好適な実施の形態について説明する。
【００１７】
（実施の形態１）
まず、この発明の融着接続機に係る実施の形態１について説明する。図１は、この発明の実施の形態１である単心の光ファイバを接続する融着接続機を示し、風防カバーを開き、光ファイバを把持したホルダをホルダ台に設置した状態の融着接続機を上側から見た平面図である。図２は、風防カバーを閉じた状態の融着接続機の右側断面図である。図３は、風防カバーを開いた状態の融着接続機を右側から見た側面図である。図４は、風防カバーを閉じた融着接続機の斜視図である。融着接続機１は、光ファイバの融着接続に必要な最小限の機能のみを備え、直流電源によって駆動される約１ｋｇの小型軽量な接続機で、図１，４に示すように、本体２と融着接続部３とがＴ字形に配置されている。融着接続機１は、本体２を保持して光ファイバの融着接続に使用され、内部にはモニタ機構８が設けられている。
【００１８】
本体２は、標準的な体型を有する作業者が掌中に保持して接続作業することができるように、図３，４に示すように、略直方体形状されると共に、上面が融着接続部３側へ向かって高くなる傾斜面に成形され、長手方向一方の上部に表示部２ａと入力部２ｂが配置されると共に、他方上部に融着接続部３がＴ字形に配置され、入力部２ｂ側の幅及び厚さが１０ｃｍ以下に成形されている。このとき、入力部２ｂ側は、幅を７．５ｃｍ以下に成形すると、より掌中に保持し易くなり好ましい。但し、本体２は、作業台等に置いて接続することも可能である。表示部２ａは、本体２の融着接続部３側に配置される液晶表示部分で、光ファイバの接続作業に関する進行状況を表示する他、融着接続機１の作動に関する入力等の情報を表示する。入力部２ｂには、電源のオン／オフ操作をする電源キーＫｐ、表示部２ａにおけるカーソルの上移動並びに接続動作を開始させるカーソルキーＫｃｕ或いはカーソルの下移動を操作するカーソルキーＫｃｄ、リセットキーＫｒ、選択決定キーＫｅ、動作開始あるいは位置停止を入力する操作キーＫｏｐ等の各種操作キーの他、電源のオン／オフ状態を表示するモニタランプＬｍ等が設けられている。
【００１９】
また、本体２は、図２に示すように、内部にコネクタを介して接続されたＬＣＤ基板２ｃ、ＣＰＵ基板２ｄ、パワーボード２ｆ及び放電基板２ｇが設けられ、本体２の手前側下部には収納部２ｈが形成されている。ＬＣＤ基板２ｃ、ＣＰＵ基板２ｄ、パワーボード２ｆ及び放電基板２ｇは、コネクタを介して相互に接続されている。ＣＰＵ基板２ｄには、融着接続機１の作動を制御するＣＰＵ２ｅが設けられている。また、収納部２ｈには、複数のリチウムイオン電池をパッケージ化したバッテリパックＰｂや、通信ライン及び交流電源の電源ラインを有するバッテリパックＰｂが交換自在に接続される（図３，４参照）。そして、収納部２ｈの奥部には、挿入側となる外方に向けて複数の接続ピン２ｊが突設され、収納部２ｈの裏側には複数の接続ピン２ｊと接続されたバッテリコネクタボード２ｋが設けられている。バッテリコネクタボード２ｋには、電源コネクタと通信コネクタとが設けられ、電源ケーブル２ｍ並びに通信ケーブル２ｎによってパワーボード２ｆと接続されている。このとき、通信ケーブル２ｎは、通信装置２ｐを介してパワーボード２ｆと接続されている。
【００２０】
融着接続部３は、図１〜図４に示すように、１組のホルダ台４と、放電電極５と、本体２の前方上部に取り付けられる風防カバー６とを有している。ここで、１組のホルダ台４と放電電極５は、内部の支持基板３ａ上に設置され、支持基板３ａは、磁性金属から成形されている。
【００２１】
ホルダ台４は、図１に示すように、光ファイバ４５を把持した磁性金属からなるホルダ４６をそれぞれ対向させて配置する台で、融着接続部３の中央に配置される支持部材７の両側に１つずつ配置されている。ホルダ台４は、図５〜図７に示すように、支持部材７側となる一方の上面にホルダ４６を位置決めする突起４ａ，４ｂが設けられ、近傍に形成した装着孔４ｃには磁石４１が装着されている。装着孔４ｃは、上面側が僅かに小径に形成され、下面側にねじ止めされる保持板４２によって装着した磁石４１が保持されている。
【００２２】
ここで、２つのホルダ台４は、風防カバー６を閉じると互いに僅かに接近し、保持した光ファイバ４５が融着接続に適した所定の間隔で対向し、閉じると元の状態に復帰するように設定されている。また、本発明に係る融着接続機１は、掌中に保持可能なようにＴ字形に成形されているため、ホルダ４６をホルダ台４にセットする際、鉛直下方に加わる力により倒れることが考えられる。このため、融着接続機１は、前記鉛直下方に加わる力を受ける支持脚Ｌｓを融着接続部３に設けるとよい。
【００２３】
放電電極５は、図１に示すように、光ファイバ４５に対して直交させて対向配置され、対向配置された光ファイバ４５の端部を放電によって融着接続する。放電電極５は、図８に示す支持部材７に支持され、収納部２ｈに挿着したバッテリパックＰｂから供給される電力によって電極間にアーク放電を発生する。
【００２４】
ここで、支持部材７は、放電電極５及び光ファイバ４５の先端側を支持し、図８，９に示すように、基板７１上にファイバ台７２と電極台７３とがそれぞれ２台ずつ対向配置されている。基板７１は、中央に開口７１ａが、ファイバ台７２の外側近傍にねじ孔７１ｂが、それぞれ形成され、開口７１ａの直下に、モニタ機構８の後述するレンズ部材８４及び撮像素子８５が配置されている。ファイバ台７２及び電極台７３は、略直方体形状の部材で、電極台７３は、セラミックによって成形されている。各ファイバ台７２は、対向面側の上部にガイド板７２ａが設けられている。また、ファイバ台７２は、ガイド板７２ａの中央に光ファイバ４５を案内するＶ字形のガイド溝７２ｂが形成され、上面にはガイド溝７２ｂに繋がるＶ溝からなるファイバ溝７２ｃが設けられている。一方、電極台７３は、中央上面に放電電極５を位置決めするＶ溝７３ａが形成されている。
【００２５】
風防カバー６は、図３に矢印Ａで示すように、本体２の前方上部に起倒自在に取り付けられ、融着接続部３の上部を開閉自在に覆う。風防カバー６は、図１０〜図１２に示すように、内側に設けた２箇所の筒部６ａ内に磁石６ｂが配置され、筒部６ａの上部にねじ止めされる保持板６ｃによって磁石６ｂが保持されている。また、風防カバー６は、長手方向両側の壁面に、Ｖ字状に切り欠いた延出部６ｄが、内側上面の各ファイバ台７２と対応する位置に押圧部材６ｅ（図１，２，１３参照）が、それぞれ設けられている。
【００２６】
モニタ機構８は、図１３に示すように、光源８１、ダブプリズム８２、レンズ部材８４及び撮像素子８５を有し、融着接続される光ファイバ４５の端部をモニタする。
【００２７】
光源８１は、ＬＥＤが使用され、図１３に示すように、融着接続部３の筐体上板３ｃに形成された挿着孔３ｄに挿着されている。挿着孔３ｄは、支持基板３ａに形成した開口３ｂと上下方向に重なる位置に形成されている。ダブプリズム８２は、光源８１から出射された光を９０°ずつ２回反射させて１８０°方向を変え、レンズ部材８４を介して撮像素子８５へ導くもので、図１，１３に示すように、押え板８３によって風防カバー６に取り付けられている。レンズ部材８４は、光源８１から出射され、ダブプリズム８２によって反射された光を拡大する組み合わせレンズである。撮像素子８５は、光源８１から出射された光によって、融着接続される光ファイバ４５の端部の像を撮像するもので、ＣＣＤあるいはＣＭＯＳカメラが使用される。
【００２８】
従って、モニタ機構８は、光源８１から撮像素子８５に至る光路ＰＬが適宜の長さに設定される。このため、光源８１から出射された光は、図１３に矢印で示す光路ＰＬを通って進み、ダブプリズム８２によって反射された後、光ファイバ４５の端部を通ってレンズ部材８４で拡大され、むらのない光となって撮像素子８５へと入射し、融着接続される光ファイバ４５端部の映像として本体２の表示部２ａに表示される。ここで、モニタ機構８は、撮像素子８５としてＣＭＯＳカメラを使用すると、ＣＣＤを用いた場合と比較して消費電力を少なく抑えることができるという利点がある。
【００２９】
融着接続機１は以上のように構成され、光ファイバを融着接続するときには、先ず、先端を突出させて光ファイバ４５をホルダ４６で把持し、光ファイバ４５の先端から被覆を除去し、クリーニングした後、所定長さに切断する。このようにして端末処理が済んだ光ファイバ４５を把持したホルダ４５を、風防カバー６を引き起こして各ホルダ台４の上にそれぞれセットする。これにより、２本の光ファイバ４５は、対向配置された２本の放電電極５間に配置されることになる。
【００３０】
次に、風防カバー６を引き倒して融着接続部３の上部を覆う。これにより、ホルダ４６の先端から突出した各光ファイバ４５は、先端側が支持部材７に設けたファイバ台７２のガイド溝７２ｂに案内され、ファイバ溝７２ｃにセットされる。これと共に、各光ファイバ４５は、押圧部材６ｅによってファイバ溝７２ｃに押圧され、互いに所定間隔をもって対向配置される。また、光ファイバ４５は、延出部６ｄを通って融着接続機１の外部へと延出する。そして、操作キーＫｏｐを押すと、バッテリパックＰｂから一方の放電電極５に電力が供給され、発生するアーク放電によって対向配置された２本の光ファイバ４５が先端部分で融着接続される。この一連の融着接続の状態は、本体２の表示部２ａに表示される。
【００３１】
作業者は、表示部２ａの映像から融着接続の完了を確認した後、風防カバー６を引き起こす。これにより、２つのホルダ台４は、僅かに離れ、接続された２本の光ファイバ４５間に引張り力が作用し、接続状態の良否がチェックされる。このとき、接続状態が不良であると、１本に接続された光ファイバ４５が容易に２本に分かれてしまう。このようにして、接続状態の良否が確認されたら、ホルダ４６から光ファイバ４５を外して一連の接続作業が完了する。
【００３２】
このとき、融着接続機１は、本体２と融着接続部３とがＴ字形に配置され、本体２略中央における幅及び厚さが約７ｃｍで、全体の重さが約１ｋｇの小型軽量な接続機とされている。このため、例えば、ＦＴＴＨのようなアクセスシステムにおいて幹線から分岐した単心光ファイバを家庭用の単心光ファイバと接続する場合等に、融着接続機１は、使用上優れた特性を発揮する。即ち、図１４に示すように、高所作業車のブームＢｍ先端に支持された作業バケットＢｋに乗り込んだ作業員が、本体２を保持して融着接続機１を簡単に取り扱うことができ、小型なことから電柱Ｐの近傍に配置されたクロージャーＣｓ内に融着接続部３を差し込むことができるので、光ファイバの融着接続作業をクロージャーＣｓ内で容易に行うことができる。
【００３３】
また、モニタ機構８は、光源８１から出射された光をダブプリズム８２によって１８０°方向を変え、従来の融着接続機のようにミラーを用いていない。しかも、モニタ機構８は、光ファイバの端部を１軸方向から観察しているだけである。このため、融着接続機１は、ミラーを用いた場合に比べるとダブプリズム８２の位置決めが容易で、設計上の自由度も大きいうえ、簡単に組み立てることができて製造に手間がかからず、安価に製造することができる。
【００３４】
一方、支持部材７は、基板７１上にファイバ台７２と電極台７３とをそれぞれ２台ずつ対向配置することによって一体化されている。このため、支持部材７を安価に提供できるので、融着接続機１を更に安価にすることができる。
【００３５】
また、ホルダ台４及び風防カバー６は、磁石４１，６ｂを保持板４２，６ｃによって保持する構造とし、接着剤を使用していない。このため、融着接続機１は、構成部材を素材毎に分離回収することができるので、構成部材をリサイクルして資源を有効活用することができる。
【００３６】
【発明の効果】
以上説明したように、この発明によれば、融着接続に関する情報を表示する表示部と、融着接続に伴う動作情報を入力する入力部とを有する本体と、光ファイバを把持したホルダをそれぞれ対向させて配置する１組のホルダ台と、前記光ファイバに対して直交させて対向配置される１組の放電電極と、前記１組のホルダ台に設置された前記ホルダを開閉自在に覆う風防カバーとを有する融着接続部と、前記光ファイバの端部をモニタするモニタ機構とを備え、対向配置された前記光ファイバの端部を放電によって融着接続する融着接続機において、前記本体は、略直方体形状に成形され、長手方向一方の上部に前記表示部と入力部とが配置されると共に、他方上部に当該本体と前記融着接続部とがＴ字形をなすように配置され、前記入力部が掌中に保持可能に成形されているので、小型軽量で能率的に融着作業を実行することができ、安価な融着接続機を提供することができるという効果を奏する。
【００３７】
また、この発明の融着接続機は、モニタ機構にダブプリズムを使用しているので、ミラーを用いた場合に比べるとダブプリズムの位置決めが容易で、設計上の自由度も大きいうえ、簡単に組み立てることができて製造に手間がかからず、安価に製造することができる。
【００３８】
また、この発明の融着接続機においては、支持部材７は、基板上にファイバ台と電極台とが配置されて一体化されている。このため、支持部材は、安価に提供することができるので、融着接続機を更に安価にすることができる。
【００３９】
また、この発明の融着接続機は、ホルダ台及び風防カバーが、凹部に磁石を保持板によって保持する構造とし、接着剤を使用していない。このため、融着接続機は、構成部材を素材毎に分離回収することができるので、構成部材をリサイクルして資源を有効活用することができる。
【図面の簡単な説明】
【図１】この発明の実施の形態１である単心の光ファイバを接続する融着接続機を示し、風防カバーを開き、光ファイバを把持したホルダをホルダ台に設置した状態の融着接続機を上側から見た平面図である。
【図２】風防カバーを閉じた状態の融着接続機の右側断面図である。
【図３】風防カバーを開いた状態の融着接続機を右側から見た側面図である。
【図４】風防カバーを閉じた融着接続機の斜視図である。
【図５】図１の融着接続機で使用しているホルダ台の斜視図である。
【図６】図５のホルダ台の長手方向に沿って切断した断面図である。
【図７】図５のホルダ台の裏面図である。
【図８】基板上にファイバ台と電極台とが一体に設けられ、図１の融着接続機で使用している支持部材の斜視図である。
【図９】図８の支持部材の平面図である。
【図１０】図１の融着接続機で使用している風防カバーを裏面側から見た斜視図である。
【図１１】風防カバーを裏面から見た右半底面図である。
【図１２】図１１のＣ１−Ｃ１線に沿った断面図である。
【図１３】図１の融着接続機のモニタ機構を示す融着接続部の断面図である。
【図１４】図１の融着接続機の作業現場における使用態様を示す模式図である。
【符号の説明】
１  融着接続機
２  本体
２ａ  表示部
２ｂ  入力部
２ｃ  ＬＣＤ基板
２ｄ  ＣＰＵ基板
２ｅ  ＣＰＵ
２ｆ  パワーボード
２ｇ  放電基板
２ｈ  収納部
２ｊ  接続ピン
２ｋ  バッテリコネクタボード
２ｍ  電源ケーブル
２ｎ  通信ケーブル
３  融着接続部
３ａ  支持基板
３ｂ  開口
３ｃ  筐体上板
３ｄ  挿着孔
４  ホルダ台
４ａ，４ｂ  突起
４ｃ  装着孔
４１  磁石
４２  保持板
４５  光ファイバ
４６  ホルダ
５  放電電極
６  風防カバー
６ａ  筒部
６ｂ  磁石
６ｃ  保持板
６ｄ  延出部
６ｅ  押圧部材
７  支持部材
７１  基板
７１ａ  開口
７１ｂ  ねじ孔
７２  ファイバ台
７２ａ  ガイド板
７２ｂ  ガイド溝
７２ｃ  ファイバ溝
７３  電極台
７３ａ  Ｖ溝
８  モニタ機構
８１  光源
８２  ダブプリズム
８３  押え板
８４  レンズ部材
８５  撮像素子
Ｋｐ    電源キー
Ｋｃｕ，Ｋｃｄ  カーソルキー
Ｋｒ    リセットキー
Ｋｅ    選択決定キー
Ｋｏｐ  操作キー
Ｌｍ    モニタランプ
Ｌｓ    支持脚
Ｐｂ    バッテリパック
【図１】
2004184543.tif 000003
【図２】
2004184543.tif 000004
【図３】
2004184543.tif 000005
【図４】
2004184543.tif 000006
【図５】
2004184543.tif 000007
【図６】
2004184543.tif 000008
【図７】
2004184543.tif 000009
【図８】
2004184543.tif 000010
【図９】
2004184543.tif 000011
【図１０】
2004184543.tif 000012
【図１１】
2004184543.tif 000013
【図１２】
2004184543.tif 000014
【図１３】
2004184543.tif 000015
【図１４】
2004184543.tif 000016